(57)【要約】【課題】  偶発的に制御ノブが押されて偶発的に傘が動作することにより使用者が困惑する状況が起こることを効果的に防止できる偶発的な接触に起因する傘の開きに対する安全装置を備える傘の手元を提供すること。【解決手段】  本発明は、傘の手元、制御ノブ、制御機構、および安全障壁装置を備える。偶発的な接触に起因する傘の開きに対する安全装置を備える傘の手元に関する。制御ノブに対応して、安全障壁装置は傘の手元上に配され、偶発的に使用者が制御ノブと接触することによる傘の開閉を防止する。上記の構造において、安全障壁装置は手元部内に配され、１つのモジュールとして手元部と外観上一体化されている。安全障壁装置は、把握及び保管などの理由により制御ノブを押すという誤操作を原因とする偶発的な傘の開閉を防止し、傘の安全な使用を可能とする。【選択図】  図１
2008114033.tif 000002
【特許請求の範囲】
【請求項１】
偶発的な接触に起因する傘の開きに対する安全装置を備える傘の手元であって、
前記手元は手元部とベース部と制御ノブを備え、
該手元部とベース部は組み合わされて中棒に取付けられ、
前記制御ノブは前記手元部の一の面に現れるとともに前記手元部内部に配される制御機構に対応して傘の開閉を制御し、
前記制御機構は、前記手元部内部に配されて前記中棒と接続するとともに、前記制御ノブとの接触により前記傘の開閉を可能とし、
安全障壁装置が前記傘の手元上に配されて前記制御ノブと対応し、前記制御ノブを保護して使用者による前記制御ノブへの偶発的な接触に起因する前記傘の開閉を防止することを特徴とする傘の手元。
【請求項２】
前記安全障壁装置がスライドカバーであり、
前記スライドカバーが前記手元部の一の面において摺動可能であるとともに前記手元部と結合されたカバーアセンブリであり、前記制御ノブを覆うことを特徴とする請求項１記載の偶発的な接触に起因する傘の開きに対する安全装置を備える傘の手元。
【請求項３】
前記安全障壁装置がストッパーであり、
前記ストッパーが前記手元内の前記制御ノブの内面に配されるとともに前記制御ノブ背面において摺動可能であり、
前記ストッパーの端部が前記手元部の外側に露出していることを特徴とする請求項１記載の偶発的な接触に起因する傘の開きに対する安全装置を備える傘の手元。
【請求項４】
前記ストッパーがその一の面においてＬ字状の構造を有し、前記ストッパーの一端部が前記手元外部に露出した押し引き部であり、他端部がフォーク形状に形成された握り部であることを特徴とする請求項３記載の偶発的な接触に起因する傘の開きに対する安全装置を備える傘の手元。
【請求項５】
前記スライドカバーが案内路により前記手元部と摺動可能に結合され、
前記案内路が前記手元部の一の面或いは前記スライドカバーの両側に配されることを特徴とする請求項４記載の偶発的な接触に起因する傘の開きに対する安全装置を備える傘の手元。
【請求項６】
前記案内路が前記手元部外側の一の面において凹部又は隆起部により形成される溝部又は平滑な表面として形成されることを特徴とする請求項５記載の偶発的な接触に起因する傘の開きに対する安全装置を備える傘の手元。
【請求項７】
前記手元部の一の面に２つの案内路が配され、
前記制御ノブが前記２つの案内路の間に配置され、
前記スライドカバーがその外面において平板形状或いは弓状の平板形状を有するとともに、その両側の下部において突出したスライドブロックを有し、
前記スライドブロックが前記案内路に嵌合可能であることを特徴とする請求項５記載の偶発的な接触に起因する傘の開きに対する安全装置を備える傘の手元。
【請求項８】
前記案内路が前記手元部に沿って配されるか又は前記手元部内部に配されるとともに、前記スライドカバーが前記案内路に対応する案内路用溝部を有し、或いは、前記案内路が前記スライドカバーの外面に配されるとともに、前記手元部がその内面に前記案内路に対応する案内路用溝部を備えることを特徴とする請求項５記載の偶発的な接触に起因する傘の開きに対する安全装置を備える傘の手元。
【請求項９】
前記スライドカバーの前記案内路が前記手元部に沿って横方向に配置され、
前記手元部が横方向に配置された案内路用溝部を備え、
前記スライドカバー底部が前記案内路用溝部に対応する棒状の案内路を備え、
前記案内路用溝部が前記制御ノブの一の面に沿って延出して係合部を形成し、
前記案内路の長さが、前記制御ノブの断面より大きいことを特徴とする請求項８記載の偶発的な接触に起因する傘の開きに対する安全装置を備える傘の手元。
【請求項１０】
前記手元部が適切な位置にばね用穴を備え、
ばねが前記ばね用穴内に配され、
前記ばねがビーズに当接し、
前記ビーズが外側に向かって前記スライドカバーと当接することを特徴とする請求項７記載の偶発的な接触に起因する傘の開きに対する安全装置を備える傘の手元。
【請求項１１】
前記傘の手元部が中空のスライド収容溝を備え、
前記スライド収容溝が前記手元部の下部又は一の面に配され、
前記スライドカバーの両側が前記スライド収容溝の内壁と噛合うことを特徴とする請求項５記載の偶発的な接触に起因する傘の開きに対する安全装置を備える傘の手元。
【請求項１２】
前記手元部がその上部に突出制限機構すなわちバフル板を更に備え、
前記バフル板が前記スライド収容溝に対応することを特徴とする請求項１１記載の偶発的な接触に起因する傘の開きに対する安全装置を備える傘の手元。
【請求項１３】
前記スライドカバーが前記制御ノブの外側に配され、
前記スライドカバーの一端が前記手元部上に固定されて固定端部を形成し、
前記スライドカバーの他端が開放端部であり、前記手元部に動作可能に接続されて、前記スライドカバーを上下に回動させることにより、前記制御ノブが覆われ又は開放されることを特徴とする請求項５記載の偶発的な接触に起因する傘の開きに対する安全装置を備える傘の手元。
【請求項１４】
前記スライドカバーの前記固定端部がピンシャフト又はねじりばねにより前記手元部上に配され、
前記スライドカバーの前記開放端部がその外面に隆起した隆起ヘッド部を有し、前記隆起ヘッド部により前記スライドカバーの位置が容易に制御可能であり、
前記スライドカバーの前記固定端部が前記ねじりばねにより前記手元部上に固定され、
前記スライドカバーの前記開放端部がその頂部にフランジを備え、
前記手元部のうち前記開放端部を収容する部分が凹部を形成するとともに前記フランジと対応する窪みを備え、
少なくとも１つの弓形の開口部が前記手元部上に前記スライドカバーが配される位置の片側に配され、
前記弓形の開口部が前記スライドカバーの片側に位置することを特徴とする請求項１３記載の偶発的な接触に起因する傘の開きに対する安全装置を備える傘の手元。
【請求項１５】
前記スライドカバーがその底部に２つのねじりばねを更に備え、
前記スライドカバー底部において前記２つのねじりばねが前記手元部に同時に固定され、
固定柱部が前記手元部の前記ねじりばねが配される位置に配され、
前記２つのねじりばねのそれぞれの一端が前記固定柱部内に収容され、
前記固定柱部が前記ねじりばねを固定する固定位置が前記スライドカバー底部の両側に対して横方向に対称に配され、
前記２つのねじりばねのそれぞれが、前記固定位置のうちの１つにおいて固定されることを特徴とする請求項５記載の偶発的な接触に起因する傘の開きに対する安全装置を備える傘の手元。
【請求項１６】
前記スライドカバーが前記手元部の外側表面に配されるとともに該外側表面から突出し、
前記スライドカバーの中央位置が回転シャフトを有し、
前記回転シャフトが前記手元部内に配されるとともに前記制御ノブの下部に配されることを特徴とする請求項５記載の偶発的な接触に起因する傘の開きに対する安全装置を備える傘の手元。
【請求項１７】
前記スライドカバーがその外側端部底部に突出柱部を備え、
前記手元部の前記制御ノブ上部に対応してノッチが配され、前記突出柱部が前記ノッチと隙間なく嵌合し、
或いは前記ノッチが前記スライドカバーの外側端部底部に配され、前記突出柱が前記制御ノブ上部に配され、
前記スライドカバーがその外側端部の一の面に差込口金を備え、
対応する締付け溝が前記手元部の前記制御ノブの一の面に配され、
前記差込口金と前記締付け溝が互いに噛合うことを特徴とする請求項５記載の偶発的な接触に起因する傘の開きに対する安全装置を備える傘の手元。
【発明の詳細な説明】
【技術分野】
【０００１】
本発明は、傘の手元に関し、本発明の傘の手元は、偶発的な接触に起因する傘の開きに対する安全装置を備える。より詳しくは、決められた経路に沿ってスライドカバーを移動させる移動装置を備え、使用者が効率的にノブを操作することを可能とし、偶発的な誤操作に起因する危険を防止することを目的とする傘の手元を提供する。
【背景技術】
【０００２】
現状において、入手可能な傘には、少なくともオートマティック傘及びセミオートマティック傘（傘の開きが自動的に行なわれる一方で、傘の閉じが手動で行なわれる傘）がある。これらの多くは手元に制御用ノブを備える。即ち、制御用の部品が、傘の手元内部に配され、制御用ノブが傘の表面に現れる形態である。傘の開き及び閉じは、このノブを操作することにより実行される。
【発明の開示】
【発明が解決しようとする課題】
【０００３】
セミオートマティック傘は、通常単独で折り畳むことできる構造を有する。セミオートマティック傘は自動で開くことができるが、傘を閉じようとする場合には手を用いて行なう必要がある。
オートマティック傘は、制御ノブを用いて自動的な傘の開閉動作の目的を達することができる。自動的に傘を開閉させる制御ノブは、傘の手元部に配される。即ち、使用者が把持する部分に制御ノブが配される。このようなデザインは、操作の利便性を考慮したものである。しかしながら、このことは、悪い結果、即ち、傘を把持する過程において、傘が偶発的に誤動作をするという問題を生じせしめる。即ち、使用者が動揺して或いは偶発的にノブを連続的に押したり、握り締めたりすることにより、制御ノブの誤動作が発生する。この結果、開閉動作が必要とされる場面でないにもかかわらず、傘の開閉動作を生じ、実用上不便な結果をもたらし或いは使用者を困惑させる結果をもたらすこととなる。
【課題を解決するための手段】
【０００４】
したがって、本発明の主な目的は、偶発的な接触に起因する傘の開きに対する安全装置を備える傘の手元を提供することである。本発明の傘の手元は安全障壁構造を備え、この安全障壁構造は制御ノブが偶発的に押されて、偶発的に傘が作動することにより使用者が困惑する状況が起こることを効果的に防止可能である。
【０００５】
本発明の別の目的は、スライドカバー構造を有する傘の手元を提供することである。この手元は、使用者の物体を把握する特性に従って設計されるので、スライドカバーの開閉を制御することが容易である。よって、ノブへの偶発的な接触や押圧を防止すると同時に操作が容易となる。
【０００６】
本発明の更に別の目的は、手元部とベース部を傘の中棒構造と一体的に設計することである。また、スライドカバーをデザインして手元部が実用的であるだけでなく外見上美しいものとなるようにすることである。すなわち、ベース部と手元部が、交換可能な構成部分として安全装置と一体的に形成される。手元部上のスライドカバーは、把握可能な手元を形成可能な限り、異なる所定の形状を有することができる。これにより手元の外観及び材質に対する異なる使用者の要求を満たすものとなる。
【０００７】
上記を鑑みて、本発明は以下のように実施される。
偶発的な接触に起因する傘の開きに対する安全装置を備える傘の手元であって、前記手元は手元部とベース部と制御ノブを備え、該手元部とベース部は組み合わされて中棒に取付けられ、前記制御ノブは前記手元部の一の面に現れるとともに前記手元部内部に配される制御機構に対応して傘の開閉を制御し、前記制御機構は、前記手元部内部に配されて前記中棒と接続するとともに、前記制御ノブとの接触により前記傘の開閉を可能とし、安全障壁装置が前記傘の手元上に配されて前記制御ノブと対応し、前記制御ノブを保護して使用者による前記制御ノブへの偶発的な接触に起因する前記傘の開閉を防止することを特徴とする傘の手元を提供する。
【０００８】
前記安全障壁装置がスライドカバーであり、前記スライドカバーが前記手元部の一の面において摺動可能であるとともに前記手元部と結合されたカバーアセンブリであり、前記制御ノブを覆う。これにより、制御ノブが偶発的に押されることを効果的に防止できる。
【０００９】
前記安全障壁装置がストッパーであり、前記ストッパーが前記手元部内の前記制御ノブの内面に配されるとともに前記制御ノブ背面において摺動可能であり、前記ストッパーの端部が前記手元部の外側に露出している。これにより、ノブを保護することが容易となる。
【００１０】
ストッパーはその一の面においてＬ字状の構造を有するとともにその一端において押し引き部を有する。押し引き部は手元部の外側に露出しており、外力により押すことが可能である。これにより、ストッパーが制御ノブをロックした状態となる。ストッパーの多端は握り部であり、フォーク形状に形成され、その背面両側から制御ノブを貫通する。制御ノブが制御機構から外れるまでには特定の移動距離が存在するから、ストッパーがロック状態にあるとき制御ノブはまずストッパーと接触して更に前進することができない。よってノブは制御機構を作動させることができない。押し引き部を引いてロックを解除すると、制御ノブは制御機構を作動させることができる。よって傘の開閉の制御が可能となる。
【００１１】
前記スライドカバーが案内路により前記手元部と摺動可能に結合される。
【００１２】
前記案内路が前記手元部の一の面或いは前記スライドカバーの両側に配される。これにより、追加的な空間を用いることなく手元部の表面に沿って上下又は左右にスライドカバーを摺動させることが容易になる。
【００１３】
前記案内路が前記手元部外側の一の面において凹部又は隆起部により形成される溝部又は平滑な表面として形成される。
【００１４】
前記手元部の一の面に２つの案内路が配され、前記制御ノブが前記２つの案内路の間に配置され、前記スライドカバーがその外面において平板形状或いは弓状の平板形状を有するとともに、その両側の下部において突出したスライドブロックを有し、前記スライドブロックが前記案内路に埋め込まれて該案内路と噛合うことが可能である。したがってスライドブロックが手元部を上下に摺動することが容易となる。
【００１５】
前記スライドブロックはまた、プーリアセンブリ或いは摺動バー要素として形成可能である。前記アセンブリが案内路内に埋め込み可能であり且つ案内路に沿って摺動可能である限り、スライドカバーは上下に移動可能である。したがって、スライドカバーは制御ノブを保護する機能を果たす。
【００１６】
前記案内路が前記手元部に沿って配されるか又は前記手元部内部に配されるとともに、前記スライドカバーが前記案内路に対応する案内路用溝部を有し、或いは、前記案内路が前記スライドカバーの外面に配されるとともに、前記手元部がその内面に前記案内路に対応する案内路用溝部を備える。
【００１７】
前記スライドカバーの前記案内路が前記手元部に沿って横方向に配置され、前記手元部が横方向に配置された案内路用溝部を備え、前記スライドカバー底部が前記案内路用溝部に対応する棒状の案内路を備え、前記案内路用溝部が前記制御ノブの一の面に沿って延出して係合部を形成し、前記案内路の長さが、前記制御ノブの断面より大きい。これにより前記スライドカバーが前記案内路用溝部から脱離することを防止できる。
【００１８】
前記手元部が適切な位置にばね用穴を備え、ばねが前記ばね用穴内に配され、前記ばねがビーズに当接し、前記ビーズが外側に向かって前記スライドカバーと当接する。これにより、前記スライドカバーが上下に摺動する間、確実に位置決めを行うことができ、効果的に制御ノブを保護できる。
【００１９】
前記ばね用穴は前記制御ノブ下部に配される。
【００２０】
前記傘の手元が中空のスライド収容溝を備え、前記スライド収容溝が前記手元部の下部又は一の面に配されて、下方或いは左右に摺動するスライドカバーを収容する。前記スライドカバーの両側が前記スライド収容溝の内壁と噛合う。これにより手元部に沿った上下への摺動を安定化し、前記スライドカバーが外力により損傷することを防止できる。
【００２１】
案内路がスライドカバー、手元部、スライド収容溝の間に配されることにより、方向付けされた摺動が容易になる。ばね用穴が手元部の側壁に配され、ばねがばね用穴内に埋め込まれる。ばねはビーズと当接し、ビーズは外側に向けてスライドカバーと当接する。これによりスライドカバーが上下に摺動する間、正確な位置決めが可能となり、効果的に制御ノブを保護することができる。
【００２２】
前記手元部がその上部に突出制限機構すなわちバフル板を更に備え、前記バフル板が前記スライド収容溝に対応する。これによりスライドカバーの移動を制限して手元部から外れるまで摺動して該手元部から脱離することを防止できる。
【００２３】
スライドカバーはその外側表面に垂直に配置された押し引き用隆起部を備える。スライドカバーを押す及び／又は引く間、スライドカバーは押し引き用隆起部を直接押すことにより操作可能である。これにより、使用者がスライドカバーを制御することが容易となる。
【００２４】
スライドカバーはその外側表面に窪みを備える。スライドカバーの押し引きはこの窪みに対して操作することにより行うことができる。
【００２５】
前記スライドカバーが前記制御ノブの外側に配され、前記スライドカバーの一端が前記手元部上に固定されて固定端部を形成し、前記スライドカバーの多端が開放端部であり、前記手元部に動作可能に接続されて、前記スライドカバーを上下に回動させることにより、前記制御ノブが覆われる又は開放される。
【００２６】
前記スライドカバーの前記固定端部がピンシャフトにより前記手元部上に配され、前記スライドカバーの前記開放端部がその外面に隆起した隆起ヘッド部を有し、前記隆起ヘッド部により前記スライドカバーの位置が容易に制御可能である。
【００２７】
前記スライドカバーの前記固定端部が前記ねじりばねにより前記手元部上に固定され、
前記スライドカバーの前記開放端部がその頂部にフランジを備え、前記手元部のうち前記開放端部を収容する部分が凹部を形成するとともに前記フランジと対応する窪みを備えて前記開放端部を収容する。これによりスライドカバーの位置が固定される。
【００２８】
少なくとも１つの弓形の開口部が前記手元部上に前記スライドカバーが配される位置の片側に配される。前記弓形の開口部が前記スライドカバーの片側に位置し、前記スライドカバーの位置がこの弓形の開口部を介して調節可能である。
【００２９】
前記スライドカバーがその底部に２つのねじりばねを更に備え、前記スライドカバー底部において前記２つのねじりばねが前記手元部に同時に固定され、固定柱部が前記手元部の前記ねじりばねが配される位置に配され、前記２つのねじりばねのそれぞれの一端が前記固定柱部内に収容され、前記固定柱が前記ねじりばねを固定する固定位置が前記スライドカバー底部の両側に対して横方向に対称に配され、前記２つのねじりばねのそれぞれが、前記固定位置のうちの１つにおいて固定される。ねじりばねにより、制御ノブを覆う位置又は制御ノブを露出する位置に自動的に戻るようにスライドカバーを制御することが可能となる。
【００３０】
前記スライドカバーが前記手元部の外側表面に配されるとともに該外側表面から突出し、
前記スライドカバーの中央位置が回転シャフトを有し、前記回転シャフトが前記手元部内に配される。前記スライドカバーは前記回転シャフトを中心として回転動作する。前記回転シャフトは通常制御ノブの下部に配される。したがって、スライドカバーは回転動作時に前記手元部の長さ内を移動して、前記手元部を超えて移動することがなく、悪い結果を招くことがない。
【００３１】
前記スライドカバーがその外側端部底部に突出柱部を備え、前記手元部の前記制御ノブ上部に対応してノッチが配され、前記突出柱部が前記ノッチと隙間なく嵌合する。したがってスライドカバーを、制御ノブを覆う位置に位置決めすることができる。
或いは前記ノッチが前記スライドカバーの外側端部底部に配され、前記突出柱が前記制御ノブ上部に配される。このような取付け方は、スライドカバーが手元部の他の部分を摩擦することを防止でき、滑らかな摺動が可能となる。
【００３２】
前記スライドカバーがその外側端部の一の面に差込口金を備え、対応する締付け溝が前記手元部の前記制御ノブの一の面に配され、前記差込口金と前記締付け溝が互いに噛合って位置決めを行う。
【００３３】
スライドカバーは矩形、楕円形、又は台形、或いはその他の任意の幾何学的形状のうち１つの形状を有することができる。
【発明の効果】
【００３４】
上述した構造を用いることにより、本発明は手元部内に安全障壁装置を配し、外観上手元部と一体の構成部分としてこの安全障壁装置を設計する。したがって把握或いは保管などの理由により、制御ノブを押す誤操作をして、偶発的な傘の開閉を引き起こすことがなくなる。したがって傘を安全に使用することができるようになる。
【００３５】
更に、本発明の手元は、使用者の物体を把握する特性に従って設計されるから、スライドカバーの開閉を制御することが容易になる。また、偶発的なノブへの接触又は押圧を防ぐと同時に操作が容易になる。
【００３６】
更に、異なる要求にしたがってスライドカバーの材料や色彩を調節し、異なる消費者のニーズを満たすことが可能である。スライドカバーは使用時の多様性と、良好な視覚的効果を有する。これにより、消費者の多極化や個性化へのニーズを満たすことができる。
【発明を実施するための最良の形態】
【００３７】
以下、本発明を添付の図面を参照しつつ説明する。
【００３８】
まず、図１は本発明に係る偶発的な接触に起因する傘の開きを防止する装置を備えた傘の手元を示す。
本発明において、傘の手元（１０）はベース部（１１）、手元部（１５）、左装飾部（１６）及び右装飾部（１７）を備える。左装飾部（１６）と右装飾部（１７）は、組み合わせて中棒上に固定される。傘の手元（１０）において、ノブ（１２）がベース部（１１）の上部に配され、対応する開口部（１５０）が手元部（１５）上に配される。ノブ（１２）は開口部（１５０）から突出し、手元を握った状態でのノブの操作を容易にする。ベース部（１１）と手元部（１５）は一体的に一つのモジュールを形成する。
【００３９】
左カバー装飾部（１６）と右カバー装飾部（１７）は、手元部（１５）側面に予め設けられる固定スロット穴（１５２）に固定して係合される。左装飾部（１６）と右装飾部（１７）は手元部（１５）を保護するとともに装飾する。ベース部（１１）と手元部（１５）が一体的に一つのモジュールを形成する。異なる外観や材料に合わせて装飾部と手元部の組み合わせ方を変えてもよい。
【００４０】
スライドカバー（１８）は摺動動作をする装置であり、弓形の板形状又は平板形状を有する（スライドカバー（１８）の曲率半径・弧度は手元部（１５）の形状によって決定される）。スライドカバー（１８）は、手元部（１５）表面において、ノブ（１２）が手元部（１５）上に突出するための開口部の下部に配される。スライドカバー（１８）は手元部（１５）上部に押し上げ可能であり、平行に摺動することによりノブ（１２）を覆う。
【００４１】
スライドカバー（１８）は、案内路（１９）により手元部（１５）と接続する。すなわち、スライドカバー（１８）の側部が、所定位置に配される手元部（１５）の端部と対応し、手元部（１５）から突出した状態で移動する。換言すると、手元部（１５）表面には、２つの案内路（１９）が並列して設けられる。スライドカバー（１８）の２つの側部は下方に延出し、ロック構造を形成する。この延出部分は案内路（１９）に噛合い、案内路（１９）に沿って摺動する。このようにして、スライドカバー（１８）が上下へ摺動することによりノブ（１２）を覆い、保護するという目的が達せられる。
【００４２】
スライドカバー（１８）内部表面の両側部に、スライドブロック（１８１）が配される。スライドブロック（１８１）は案内路（１９）内に正確に噛合い、案内路（１９）内を摺動可能である。このようにしてスライドカバー（１８）と手元部（１５）の係合が可能となる。
【００４３】
更にばね（１４）及びビーズ（１３）が、手元部（１５）とスライドカバーの間に配される。ばね収容穴（１５１）が、ノブ（１２）が配される手元部（１５）開口部の下方に設けられる。ばね（１４）はばね収容穴（１５１）内に配され、外側へビーズ（１３）を付勢する。ばね（１４）に付勢されたビーズ（１３）は、スライドカバー（１８）を弾性的に支持する。これにより、適切な位置まで摺動した後にスライドカバー（１８）が所定の固定力を有するようになる。またスライドカバー（１８）が重力により脱離することがなくなる。
【００４４】
図２ａ乃至図２ｃは、図１に示すスライドカバー（１８）が上下に摺動する機能を示す。使用者がスライドカバー（１８）を押し上げ、スライドカバー（１８）が手元部（１５）の上端部に達すると、スライドカバー（１８）はノブ（１２）を覆い、ノブ（１２）を閉状態とする。スライドカバー（１８）は手元部（１５）の案内路（１９）に沿って上下に移動する。スライドカバー（１８）が手元部（１５）の下端部まで移動すると、ノブ（１２）が完全に露出する。このときノブ（１２）の制御操作が可能になる。
【００４５】
図３は本発明の別の実施形態を示す。この実施形態の手元部（１５）は、スライドカバー（１８）を収容する中空チャンバを備える。この中空チャンバはスライド収容溝である。制限アセンブリが手元部（１５）の上端に配され、この制限アセンブリはスライドカバーの脱落を防止する。その他の構造は図１に示す実施形態とほぼ同じである。したがって、相違部分のみを詳細に説明し、同様の部分は繰り返し説明しない。
【００４６】
第二実施形態もまた、ベース部（２１）、手元部（２３）、左カバー装飾部（２４）、及び右カバー装飾部（２５）を備える。この実施形態においても、ノブ（２２）はベース部（２１）の上部に配される。また手元部（２３）が、対応する開口部を備え、この開口部からノブ（２２）が突出する。手元部（２３）とスライドカバー（２６）は案内路を介して同様に互いに接続する。
【００４７】
スライド収容溝（２７）は手元部（２３）の下部に配される。スライドカバー（２６）はスライド収容溝（２７）内部に収容可能である。スライド収容溝（２７）はスライドカバー（２６）を保護する。同時に、手元部（２３）の頂端部に、突出を制限するアセンブリすなわちバフル板（２８）が更に配される。バフル板（２８）は手元部（２３）の外側表面から突出している。バフル板（２８）は、スライドカバー（２６）に対して制限を加えることにより、移動過程で過度の力が加わることに起因して、手元部（２３）からスライドカバー（２６）が脱落することを防止する。
【００４８】
スライド収容溝（２７）は中空のチャンバ構造を有する。スライド収容溝（２７）の中空チャンバの大きさは、スライドカバー（２６）の構造或いは輪郭より若干大きく、スライドカバー（２６）を隙間なく収容する。これにより、スライドカバー（２６）は上下方向にのみ移動するから、スライドカバー（２６）が開口部を閉塞した後にも、スライド収容溝（２７）はスライドカバー（２６）を位置決めし続ける。
【００４９】
図４ａ乃至図４ｃは、図３に示すスライドカバー（２６）が上下する機能を示す。スライドカバー（２６）が押し上げられて手元部（２６）の上端に至ると、スライドカバー（２６）の上端は、制限のためのアセンブリすなわちバフル板（２８）により制限される。すなわち、バフル板（２８）は位置決めの作用を有する。結果として、スライドカバー（２６）はノブ（２２）を覆ってノブ（２２）を閉状態とする。
スライドカバー（２６）は手元部（２３）の案内路に沿って上下に移動する。スライドカバー（２６）が手元部（２３）下部まで移動すると、スライドカバー（２６）はスライド収容溝（２７）内に引込まれ、ノブ（２２）が完全に露出する。このようにするとノブ（２２）の制御操作が可能になる。同時に、スライド収容溝（２７）はまたスライドカバーを保護並びに装飾する機能を有する。
【００５０】
図５乃至図６Ｃは、本発明の他の実施形態を示す。以下の説明において、手元部内部の構造は上述の形態とほぼ同様であり、従来技術の手元部の内部構造とも同様である。よって、これらの内部構造は図面及び明細書において説明しない。以下では、スライドカバー又はその他の安全障壁装置と手元部との位置関係と、動作の過程のみを説明する。
【００５１】
図５は本発明の第三の実施形態を示す。この実施形態において、安全障壁装置は、ねじりばねとスライドカバーにより取付けられる。手元部（３０）の上部はノブ（３１）を備える。ノブ（３１）は手元部表面より内部へ沈み込む。２つの並列した案内路（３４）が、ノブ（３１）が配される手元部の両側に配される。スライドカバー（３２）はスライドブロック（３２１）により案内路（３４）と噛合う。スライドカバー（３２）は手元部上を上下に摺動するように案内される。２つのねじりばね（３３）が手元部（３０）内に配され、スライドカバー（３２）の摺動を制御する。２つのねじりばね（３３）は、手元部のばね受け部（３３１）上に固定されるとともに対称に配置される。ねじりばね（３３）の外側端部は上向きに折れ曲がった部分を有し、この上向きに折れ曲がった部分はスライドカバー（３２）の背面に対応する。スライドカバー（３２）の背面には２つの対称に配された収容穴（３２２）が存在する。ねじりばね外側端部の上向きに折れ曲がった部分が収容穴（３３２）に挿入されることにより、ねじりばねとスライドカバー（３２）が接続する。
【００５２】
図６ａ乃至図６ｃは移動過程を示す。スライドカバー（３２）が押し上げられ、スライドカバー（３２）が上方に移動して所定位置に至ると、ねじりばね（３３）が機能する。この結果、スライドカバー（３２）は自動的に案内路（３４）に沿って上方に摺動し、手元部（３０）の上部に至る。このときねじりばね（３３）は、スライドカバー（３２）が過度に摺動することも防止し、スライドカバー（３２）がノブ（３１）を完全に覆うように機能する。このようにしてノブ（３１）を不用意な作動から保護する効果が得られる。
【００５３】
ノブ（３１）を用いる間、スライドカバー（３２）が引き下げられると、スライドカバー（３２）は手元部（３０）の案内路（３４）に沿って下方に移動する。スライドカバー（３２）が一定距離移動すると、ねじりばね（３３）が機能してスライドカバー（３２）が自動的に手元部（３０）の下部まで移動する。このとき、スライドカバー（３２）が開いた状態となり、ノブ（３１）が完全に露出する。このようにしてノブ（３１）の制御操作が可能になる。
【００５４】
図７は本発明の別の実施形態を示す。この実施形態は横方向に形成された構造のスライドカバーを用いる。図７に示すごとく、ベース部（４１）は手元部（４０）内に配される。案内路（４４）は手元部（４０）外壁に横方向に形成される。手元部（４０）表面はノブ（４２）を備える。スライドカバー（４３）底部は案内路（４４）と対応する案内路溝部（４５）を備える。スライドカバー（４３）は案内路（４４）に沿って手元部（４０）周面を移動可能である。スライドカバー（４３）の横方向の長さは、ノブ（４２）の横方向の長さより大きくなければならない。これにより、スライドカバー（４３）が脱落することが防止できる。同時に、スライドカバー（４３）が過度に移動することを防止するために、手元部（３０）の右側において、位置決め凸部（４６）がノブ（４２）上に配される。スライドカバー（４３）の移動スペースは位置決め凸部（４６）により制限される。
【００５５】
図８ａ及び図８ｂは、スライドカバー（４３）の移動過程を示す。スライドカバー（４３）がノブ（４２）を覆っているとき、スライドカバー（４３）は位置決め凸部（４６）に当接している。ノブ（４２）を押すことが必要な場合、スライドカバー（４３）を案内路に沿って一方の側に押すことによりノブ（４２）を露出させ、ノブ（４２）を操作可能にする。
【００５６】
図９は別の実施形態を示す。この実施形態において、スライドカバー（４３）は上下に回動可能に設計されている。
【００５７】
図９において、スライドカバー（５３）はシャフト（５５）を介して手元部（５０）に接続する。この接続は具体的には以下の如くである。２つのシャフトスリーブ（５４）が手元部（５０）上に配される。シャフト（５５）はスライドカバー（５３）下部を貫通して、２つのシャフトスリーブ（５４）に固定される。
同時に、シャフト（５５）の中央部は更に、ねじりばね（５６）を貫通している。ねじりばね（５６）の一端部は手元部（５０）と接合し、他端部はスライドカバー（５３）に接合する。スライドカバー（５３）の両端部のそれぞれは、手元部（５０）とスライドカバー（５３）上に固定される。同時に、スライドカバー（５３）の前面中央部に、前方に突出する構造が配される（図１０ａ、図１０ｂ、及び図１０ｃを合わせて参照）。一方で、手元部（５０）の対応する位置に、２つの溝部（５７）が配される。これら溝部（５７）はそれぞれ上下に位置し、スライドカバー（５３）をそれぞれ開いた状態と閉じた状態でロックする。
【００５８】
２つの切欠部（５８）が更に手元部（５０）右側の上下に配される。これら２つの切欠部（５８）は使用者がスライドカバー（５３）を開いたり、開いた状態から閉じた状態に開放したりすることを容易にする。
【００５９】
図１０ａ乃至図１０ｃはスライドの移動過程を示す。各構成部分の機能をより良く理解するために、断面図を用いて説明する。
【００６０】
スライドカバー（５３）が開いた状態にあるとき、スライドカバー（５３）の前側端部は手元部（５０）下部の溝部（５７）内に延出して嵌合している。このとき、ねじりばね（５６）は引っ張られた状態である。スライドカバー（５３）は切欠部（５８）において押し上げられて溝部（５７）から開放されると、スライドカバー（５３）はねじりばね（５６）の力により付勢されて自動的に起立し、ノブ（５２）の前方で停止する。スライドカバー（５３）が押し下げられると、スライドカバー（５３）の前部は手元部（５０）上部の溝部（５７）と嵌合する。これにより、スライドカバー（５３）は閉じた状態となりノブ（５２）を保護する。このとき、外力がノブ（５２）に作用できなくなり、誤作動が防止される。
【００６１】
図１１は本発明の更に別の実施形態に係る構造を示す。この実施形態の基本構造は、図９乃至図１０ｃに示す構造とほぼ同様であるが、この実施形態においては、ねじりばねに代えて螺旋状ねじりばねを用いる点において異なる。したがって、この相違部分のみを説明し、残りの構造に関する説明は繰り返さない。
【００６２】
図１１に示すごとく、スライドカバー（６３）はシャフト（６５）を介して手元部（６０）と接続する。この接続は具体的には以下のごとくである。２つのシャフトスリーブ（６４）が手元部（６０）上に配される。シャフト（６５）はスライドカバー（６３）の下部を貫通し、２つのシャフトスリーブ（６４）に固定される。
同時に、シャフト（６５）の中央部は更に、螺旋状ねじりばね（６６）を貫通している。ねじりばね（６６）の一端部は手元部（６０）と接合し、他端部はスライドカバー（６３）に接合する。スライドカバー（６３）の両端部のそれぞれは、手元部（６０）とスライドカバー（６３）上に固定される。したがって、螺旋状ねじりばね（６６）の動作により、スライドカバー（６３）が開いた状態及び閉じた状態に留まることが可能になる。
【００６３】
図１２は本発明の更に別の実施形態に係る構造を示す。この実施形態において、スライドカバー（６３）は、手元部上に回転可能に配される。
【００６４】
図１２に示すごとく、この実施形態は、手元部（７０）と手元部（７０）のベース部（７１）を備える。ノブ（７２）は手元部（７０）内に配される。スライドカバー（７３）はノブ（７２）上方に配される。
【００６５】
スライドカバー（７３）は具体的に以下のように配される。突出柱部（７７）がスライドカバー（７３）の背面下部に配される。凹穴が手元部（７０）のノブ（７２）中央部に配される。突出柱（７７）は凹穴（７５）内に挿入され、凹穴（７５）上で回転可能に固定される。位置決め凸部（７４）及び（７６）は、ノブ（７２）上方の手元部（７０）上部及び下部に配される。また凹穴がスライドカバー（７３）の背面上部に配される。これにより、この凹穴が位置決め凸部（７４）及び（７６）と嵌合可能となる。したがって、スライドカバーの位置決めを行い、スライドカバー（７３）を開いた状態及び閉じた状態に留まらせることができる。
【００６６】
図１３ａ乃至図１３ｃに示すごとく、動作過程は以下の如くである。スライドカバー（７３）が開いた状態にあるとき、スライドカバーの背面上部にある凹穴は、手元部下部の位置決め凸部（７６）と嵌合して、左右に回転できない状態となる。ノブ（７２）を閉状態とする必要がある場合、スライドカバー（７３）を押して回転させる。このとき、スライドカバー（７３）がノブ（７２）を覆う位置までスライドカバー（７３）を回転させる。位置決め凸部（７４）はスライドカバー（７３）背面の凹穴と嵌合して位置決めを行う。この結果スライドカバー（７３）がノブ（７２）を安定的に覆って、不注意にノブ（７２）が押されることを防止する。
【００６７】
図１４は本発明の別の実施形態に係る構造を示す。この実施形態においては、ノブを不注意に押されることを防止するためにノブストッパーを用いる。
【００６８】
図１４に示すごとく、ベース部（８１）とノブ（８２）が手元部（８０）内に配される。凹部が手元部（８０）下部に配される。凹部はノブストッパー（８３）を取付けるために用いられる。ノブストッパー（８３）は断面Ｌ字状の構造を有し、その下部は突出した押し引き部をなし、その上部はストッパー（８６）をなす。ストッパー（８６）は二股に分かれた構造を有し、ノブ（８２）下部を通ってノブ（８２）に当接する。ストッパー（８６）が配される位置と対応する位置において、２つの貫通穴（８５）が手元部（８０）上に配される。これによりストッパー（８６）がノブ（８２）と噛合い、ノブ（８２）の状態をロックする。手元部（８０）は下方リム（８４）を備え、下方リム（８４）はノブストッパー（８３）と当接してその位置を制限する。
【００６９】
図１５ａ乃至図１５ｂを参照する。ノブ（８２）を押すことが可能なとき、ノブストッパー（８３）は手元部（８０）下部に位置して、下方リム（８４）に当接している。このとき、ストッパー（８６）はノブ（８２）を開放する。ノブ（８２）をロックして手元部（８０）内部の制御機構を作動させないようにする必要がある場合には、ノブストッパー（８３）を押す及び／又は引き下げる。このようにすると、ストッパー（８６）が貫通穴（８５）を貫通して、ノブ（８２）下部に挿入される。ノブ（８２）が押されても、ノブ（８２）はまずストッパー（８６）と当接して、制御機構とは接触することができないから、誤操作が防止される。
【００７０】
ノブ（８２）をロック状態から開放する過程は、ロックする過程と逆の過程である。ノブ（８２）のロックはノブストッパー（８６）を単に押す及び／又は引くことにより解除可能である。ノブのロックを解除すると、ノブは操作可能な状態に留まる。
【００７１】
上記の説明は本発明の具体的な実施形態と、本発明に用いる技術的原理を示したものに過ぎない。本発明の原理に基づく全ての変更形態と、本明細書及び添付の図面により示される本発明の要旨の範囲内で創出可能な機能は、本発明の範囲に含まれるものとする。
【図面の簡単な説明】
【００７２】
【図１】本発明の第一実施形態に係る構造を示す図である。
【図２ａ】本発明の第一実施形態に係るスライドカバーの摺動過程を示す図である。
【図２ｂ】本発明の第一実施形態に係るスライドカバーの摺動過程を示す図である。
【図２ｃ】本発明の第一実施形態に係るスライドカバーの摺動過程を示す図である。
【図３】本発明の第二実施形態に係る構造を示す図である。
【図４ａ】本発明の第二実施形態に係るスライドカバーの摺動過程を示す図である。
【図４ｂ】本発明の第二実施形態に係るスライドカバーの摺動過程を示す図である。
【図４ｃ】本発明の第二実施形態に係るスライドカバーの摺動過程を示す図である。
【図５】本発明の第三実施形態に係る構造を示す図である。
【図６ａ】本発明の第三実施形態に係るスライドカバーの移動過程を示す図である。
【図６ｂ】本発明の第三実施形態に係るスライドカバーの移動過程を示す図である。
【図６ｃ】本発明の第三実施形態に係るスライドカバーの移動過程を示す図である。
【図７】本発明の第四実施形態に係る構造を示す図である。
【図８ａ】本発明の第四実施形態に係るスライドカバーの移動過程を示す図である。
【図８ｂ】本発明の第四実施形態に係るスライドカバーの移動過程を示す図である。
【図９】本発明の第五実施形態に係る構造を示す図である。
【図１０ａ】本発明の第五実施形態に係るスライドカバーの移動過程を示す図である。
【図１０ｂ】本発明の第五実施形態に係るスライドカバーの移動過程を示す図である。
【図１０ｃ】本発明の第五実施形態に係るスライドカバーの移動過程を示す図である。
【図１１】本発明の第六実施形態に係る構造を示す図である。
【図１２】本発明の第七実施形態に係るスライドカバーの移動過程を示す図である。
【図１３ａ】本発明の第七実施形態に係るスライドカバーの移動過程を示す図である。
【図１３ｂ】本発明の第七実施形態に係るスライドカバーの移動過程を示す図である。
【図１３ｃ】本発明の第七実施形態に係るスライドカバーの移動過程を示す図である。
【図１４】本発明の第八実施形態に係る構造を示す図である。
【図１５ａ】本発明の第八実施形態にスライドカバーの移動過程を示す図である。
【図１５ｂ】本発明の第八実施形態にスライドカバーの移動過程を示す図である。
【符号の説明】
【００７３】
１０・・・・傘の手元
１１・・・・ベース部
１２・・・・制御ノブ
１５・・・・手元部
１８・・・・スライドカバー
【図１】
2008114033.tif 000003
【図２ａ】
2008114033.tif 000004
【図２ｂ】
2008114033.tif 000005
【図２ｃ】
2008114033.tif 000006
【図３】
2008114033.tif 000007
【図４ａ】
2008114033.tif 000008
【図４ｂ】
2008114033.tif 000009
【図４ｃ】
2008114033.tif 000010
【図５】
2008114033.tif 000011
【図６ａ】
2008114033.tif 000012
【図６ｂ】
2008114033.tif 000013
【図６ｃ】
2008114033.tif 000014
【図７】
2008114033.tif 000015
【図８ａ】
2008114033.tif 000016
【図８ｂ】
2008114033.tif 000017
【図９】
2008114033.tif 000018
【図１０ａ】
2008114033.tif 000019
【図１０ｂ】
2008114033.tif 000020
【図１０ｃ】
2008114033.tif 000021
【図１１】
2008114033.tif 000022
【図１２】
2008114033.tif 000023
【図１３ａ】
2008114033.tif 000024
【図１３ｂ】
2008114033.tif 000025
【図１３ｃ】
2008114033.tif 000026
【図１４】
2008114033.tif 000027
【図１５ａ】
2008114033.tif 000028
【図１５ｂ】
2008114033.tif 000029